(57)【要約】  複数の周波数帯域を使用した周波数帯域を送信周波数又は受信周波数に有する無線信号を基地局装置と端末装置との間で送信又は受信する無線通信システムにおいて、前記基地局装置は、前記複数の周波数帯域における周波数帯域毎に同期信号又は参照信号を送信する送信部を備え、前記端末装置は、前記基地局装置から送信された複数の前記同期信号又は前記参照信号から、少なくとも一つの前記同期信号又は前記参照信号を選択し、選択された前記同期信号又は前記参照信号に基づいて同期制御を行う同期制御部を備える。
2011108028.tif 000002
【特許請求の範囲】
【請求項１】
複数の周波数帯域を使用した周波数帯域を送信周波数又は受信周波数に有する無線信号を基地局装置と端末装置との間で送信又は受信する無線通信システムにおいて、
前記基地局装置は、前記複数の周波数帯域における周波数帯域毎に同期信号又は参照信号を送信する送信部を備え、
前記端末装置は、前記基地局装置から送信された複数の前記同期信号又は前記参照信号から、少なくとも一つの前記同期信号又は前記参照信号を選択し、選択された前記同期信号又は前記参照信号に基づいて同期制御を行う同期制御部を備えることを特徴とする無線通信システム。    
【請求項２】
前記同期制御部は、複数の前記同期信号又は前記参照信号のうち、最も低い周波数の前記同期信号又は前記参照信号を選択することを特徴とする請求項１記載の無線通信システム。  
【請求項３】
前記同期制御部は、複数の前記同期信号又は前記参照信号のうち、最も高い周波数の前記同期信号又は前記参照信号を選択することを特徴とする請求項１記載の無線通信システム。
【請求項４】
前記同期制御部は、複数の前記同期信号又は前記参照信号のうち、統合された前記周波数帯域の中心周波数に最も近い周波数の前記同期信号又は前記参照信号を選択することを特徴とする請求項１記載の無線通信システム。
【請求項５】
前記同期制御部は、少なくとも一つの前記同期信号及び参照信号を選択し、選択された前記同期信号を用いて第１の同期を行い、更に、選択された前記参照信号を用いて第２の同期を行うことを特徴とする請求項１記載の無線通信システム。  
【請求項６】
前記端末装置は、更に、前記複数の周波数帯域を使用した周波数帯域を前記送信周波数又は前記受信周波数に有する前記無線信号を送信又は受信できるよう前記端末装置を制御する設定制御部とを備えることを特徴とする請求項１記載の無線通信システム。
【請求項７】
前記同期信号又は前記参照信号は、前記複数の周波数帯域における周波数帯域毎に夫々異なる同期信号又は参照信号であることを特徴とする請求項１記載の無線通信システム。
【請求項８】
前記送信部は、前記複数の周波数帯域を使用した周波数帯域が縮小されて縮小された周波数帯域により前記無線信号を送信又は受信するとき、前記縮小された周波数帯域に含まれる前記複数の周波数帯域における周波数帯域毎に前記同期信号又は参照信号を送信し、
前記同期制御部は、複数の前記同期信号又は前記参照信号から少なくとも一つの前記同期信号又は参照信号を選択して同期制御を行うことを特徴とする請求項１記載の無線通信システム。
【請求項９】
前記複数の周波数帯域のうち、第１の周波数帯域と第２の周波数帯域は異なる周波数帯に属することを特徴とする請求項１記載の無線通信システム。
【請求項１０】
前記複数の周波数帯域のうち、第３の周波数帯域と第４の周波数帯域は同一の周波数帯に属することを特徴とする請求項１記載の無線通信システム。
【請求項１１】
前記端末装置は、更に、前記無線信号を送信又は受信する無線通信部を備え、
前記設定制御部は、前記統合された周波数帯域を前記送信周波数又は前記受信周波数に有する前記無線信号を送信又は受信できるよう前記無線通信部を制御することを特徴とする請求項１記載の無線通信システム。
【請求項１２】
前記同期信号又は前記参照信号の信号系列は、前記複数の周波数帯域における周波数帯域毎に異なる信号系列であることを特徴とする請求項７記載の無線通信システム。
【請求項１３】
前記参照信号又は前記同期信号の周波数は、前記複数の周波数帯域における各周波数帯域の中心周波数に夫々一致することを特徴とする請求項７記載の無線通信システム。
【請求項１４】
前記第１の同期はスロットタイミングの位相同期であり、前記第２の同期はシンボルタイミングの位相同期であることを特徴とする請求項５記載の無線通信システム。
【請求項１５】
前記第１の同期は周波数同期であり、前記第２の同期は位相同期であることを特徴とする請求項５記載の無線通信システム。
【請求項１６】
複数の周波数帯域を使用した周波数帯域を送信周波数又は受信周波数に有する無線信号を基地局装置との間で送信又は受信する端末装置において、
前記複数の周波数帯域における周波数帯域毎に前記基地局装置から送信された同期信号又は参照信号を受信する受信部と、
前記複数の前記同期信号又は前記参照信号から、少なくとも一つの前記同期信号又は前記参照信号を選択し、選択された前記同期信号又は前記参照信号に基づいて同期制御を行う同期制御部と
を備えることを特徴とする端末装置。
【請求項１７】
複数の周波数帯域を使用した周波数帯域を送信周波数又は受信周波数に有する無線信号を基地局装置と端末装置との間で送信又は受信する無線通信システムにおける無線通信方法であって、
前記基地局装置は、前記複数の周波数帯域における周波数帯域毎に同期信号又は参照信号を送信し、
前記端末装置は、前記基地局装置から送信された複数の前記同期信号又は前記参照信号から、少なくとも一つの前記同期信号又は前記参照信号を選択し、選択された前記同期信号又は前記参照信号に基づいて同期制御を行う
ことを特徴とする無線通信方法。
【発明の詳細な説明】
【技術分野】
【０００１】
本発明は、無線通信システム、端末装置、及び無線通信システムにおける無線通信方法に関する。
【背景技術】
【０００２】
現在、３ＧＰＰにおいて、ＬＴＥ（Long
Term Evolution）‐Ａｄｖａｎｃｅｄによる無線通信システムが検討されている。ＬＴＥ‐Ａｄｖａｎｃｅｄによる無線通信システムでは、ＬＴＥ無線通信システムと比較して、送受信される無線信号の送信又は受信周波数の帯域幅を広帯域にすることが検討されている。  【０００３】
このような広帯域伝送を実現するための一つの技術としてアグリゲーションがある。例えば、アグリゲーションは、異なる周波数帯（８００ＭＨｚ帯と３．５ＧＨｚ帯など）の中から２０ＭＨｚの帯域を複数集めて帯域幅を１００ＭＨｚにしたり、同じ周波数帯の中から２０ＭＨｚの帯域を複数集めて帯域幅を１００ＭＨｚとしたりするものである。例えば、基地局装置は、１００ＭＨｚの帯域幅を用いてデータ等を送信することで、２０ＭＨｚの帯域幅を用いた場合よりも広帯域となり、高速伝送等を実現できる。【０００４】
他方、現在３ＧＰＰにおいて、アグリゲーションにより広帯域伝送が実現される場合、基地局装置と端末装置がどのように同期信号を取り扱うかについて検討がなされている。ただし、ＬＴＥによる無線通信システムでは、セルごとに異なる系列の同期信号が用いられてもよいことになっている。【０００５】
尚、無線通信システムに関する他の従来技術として例えば以下のようなものがある。すなわち、ＡＣＫ／ＮＡＣＫ信号に対応した下りリンクサブフレームにおける制御チャネルエレメントの集合数（aggregation
number）を他の下りリンクサブフレームよりも拡張するようにしたものがある。【０００６】
また、検出した周波数誤差に基づいてＡＦＣフィードバック制御を行い、更に基準信号の周波数を基準としてクロック信号を発生させＡ／Ｄ変換手段に供給することで、周波数補正（同期）の引き込み時間を短縮するようにしたものもある。
【先行技術文献】
【特許文献】
【０００７】
【特許文献１】特開２００９‐１６４８１５号公報
【特許文献２】特開平１１‐２３４１５９号公報
【非特許文献】
【０００８】
【非特許文献１】3GPPTS 36.211V8.8.0 (例えば、6.10.1.1, 6.11.1.1, 6.11.2.1)
【非特許文献２】3GPPTS 36.304V8.7.0 (例えば、5.2.3)
【発明の概要】
【発明が解決しようとする課題】
【０００９】
しかし、上述した特許文献に記載されたものについては、複数の帯域を集めて広帯域伝送を行う場合の同期信号に対する処理については開示されていない。【００１０】
他方、広帯域伝送が実現される場合、複数の帯域を集めて広帯域としているため、どの帯域の同期信号が用いられるかによって、端末装置の周波数精度又は位相精度が劣化する場合がある。  【００１１】
そこで、本発明の目的の一つは、周波数精度又は位相精度の劣化を防止するようにした無線通信システム、端末装置、基地局装置、及び無線通信システムにおける無線通信方法を提供することにある。
【課題を解決するための手段】
【００１２】
一態様によれば、複数の周波数帯域を使用した周波数帯域を送信周波数又は受信周波数に有する無線信号を基地局装置と端末装置との間で送信又は受信する無線通信システムにおいて、前記基地局装置は、前記複数の周波数帯域における周波数帯域毎に同期信号又は参照信号を送信する送信部を備え、前記端末装置は、前記基地局装置から送信された複数の前記同期信号又は前記参照信号から、少なくとも一つの前記同期信号又は前記参照信号を選択し、選択された前記同期信号又は前記参照信号に基づいて同期制御を行う同期制御部を備える。
【発明の効果】
【００１３】
周波数精度又は位相精度の劣化を防止するようにした無線通信システム、端末装置、及び無線通信システムにおける無線通信方法を提供することができる。
【図面の簡単な説明】
【００１４】
【図１】図１は無線通信システムの構成例を示す図である。
【図２】図２（Ａ）〜図２（Ｄ）はアグリゲーションの例を示す図である。
【図３】図３はサブフレームの構成例を示す図である。
【図４】図４は無線フレームの構成例を示す図である。
【図５】図５は無線スロットの構成例を示す図である。
【図６】図６は基地局の構成例を示す図である。
【図７】図７は端末の構成例を示す図である。
【図８】図８は動作例を示すフローチャートである。
【図９】図９は基地局の構成例を示す図である。
【図１０】図１０は端末の構成例を示す図である。
【図１１】図１１は動作例を示すフローチャートである。
【図１２】図１２は動作例を示すフローチャートである。
【図１３】図１３は基地局の構成例を示す図である。
【図１４】図１４は端末の構成例を示す図である。
【図１５】図１５は基地局の送信系の構成例を示す図である。
【図１６】図１６は基地局の送信系の構成例を示す図である。
【図１７】図１７は基地局の構成例を示す図である。
【図１８】図１８は基地局の構成例を示す図である。
【図１９】図１９は基地局の構成例を示す図である。
【図２０】図２０は基地局の送信系の構成例を示す図である。
【図２１】図２１は基地局の構成例を示す図である。
【図２２】図２２は基地局の構成例を示す図である。
【図２３】図２３は基地局の構成例を示す図である。
【図２４】図２４は端末の構成例を示す図である。
【図２５】図２５は端末の構成例を示す図である。
【図２６】図２６は端末の構成例を示す図である。
【図２７】図２７は基地局の構成例を示す図である。
【図２８】図２８は基地局の構成例を示す図である。
【図２９】図２９は基地局の構成例を示す図である。
【図３０】図３０は基地局の構成例を示す図である。
【図３１】図３１は端末の構成例を示す図である。
【図３２】図３２は端末の構成例を示す図である。
【図３３】図３３は端末の構成例を示す図である。
【図３４】図３４は端末の構成例を示す図である。
【発明を実施するための形態】
【００１５】
本発明を実施するための形態について以下説明する。図１は無線通信システム１０の構成例を示す図である。
【００１６】
無線通信システム１０は、基地局装置（Node
B、以下「基地局」）１００と、端末装置（UE(User Equipment)、以下「端末」)２００‐１〜２００‐３とを備える。
【００１７】
基地局１００は、無線通信可能範囲において、端末装置２００‐１〜２００‐３と無線通信を行うことができる。例えば、基地局１００は、データ等を端末２００‐１〜２００‐３に送信でき（下り方向）、端末２００‐１〜２００‐３はデータ等を基地局１００に送信することもできる（上り方向）。尚、図１の例では、３台の端末２００‐１〜２００‐３の例を示しているが、１台でも複数台でもよい。また、各端末２００‐１〜２００‐３は、同一の構成を有しているため、以下では特段の断りがない限り端末２００として説明する。
【００１８】
本実施例において、基地局１００と端末２００は、送信又は受信する無線信号の送信又は受信周波数について複数の周波数帯域を集めて帯域幅を広帯域にして無線通信を行う。これにより、基地局１００と端末２００は、例えば、帯域を集めずに個々の帯域幅でデータ等を送信等する場合と比較して、高速で大量のデータ等を送受信できる。アグリゲーションとは、例えば、このように複数の通信帯域が集められて周波数帯域幅を広帯域にすることである。
【００１９】
次にアグリゲーションの例について説明する。図２（Ａ）及び同図（Ｂ）は、「８００ＭＨｚ帯」の周波数帯から「２０ＭＨｚ」の帯域と、「３．５ＧＨｚ帯」の周波数帯から「８０ＭＨｚ」分の帯域とにより、帯域幅を「１００ＭＨｚ」とした例である。アグリゲーションは、これ以外にも、「３．５ＧＨｚ帯」の周波数帯の中から複数の帯域が集められて「１００ＭＨｚ」の帯域にすることもできる。また、周波数帯についても「２．５ＧＨｚ帯」等のように他の周波数帯でもよい。更に、統合後の帯域幅も「８０ＭＨｚ」、「４０ＭＨｚ」等でもよい。更に、統合前の帯域幅も「２０ＭＨｚ」以外にも、「１ＭＨｚ」又は「０．８ＭＨｚ」でもよい。
【００２０】
図２（Ｃ）及び同図（Ｄ）は、「２０ＭＨｚ」の帯域幅毎に同期チャネルが配置された例である。上述したＬＴＥ‐Ａｄｖａｎｃｅｄシステムにおいて、端末２００は、例えば、使用帯域幅が「２０ＭＨｚ」の端末（例えば、ＬＴＥシステムに準拠した端末）もあれば、「１００ＭＨｚ」の端末（例えば、ＬＴＥ‐Ａｄｖａｎｃｅｄシステムに準拠した端末）もある。本実施例において、基地局１００はいずれの端末２００ともデータ等を送信又は受信するため、「２０ＭＨｚ」の帯域幅毎に異なる同期信号と参照信号とを端末２００に送信できるものとする。使用帯域幅が「２０ＭＨｚ」の端末２００は、複数の「２０ＭＨｚ」のうちいずれの「２０ＭＨｚ」を用いても当該「２０ＭＨｚ」における同期信号又は参照信号を用いることで同期処理等を行うことができる。
【００２１】
以下、本実施例において「２０ＭＨｚ」の周波数帯域幅を「ＣＣ」（Component
Carrier）と称することにする。勿論、ＣＣは「１ＭＨｚ」等、「２０ＭＨｚ」以外でもよい。例えば、各ＣＣにおける同期信号と参照信号の周波数は、同図（Ｃ）に示すように一点鎖線で示す中心周波数に一致しているものとする。これにより、ＣＣ毎に異なる同期信号及び参照信号とすることができる。
【００２２】
例えば、ＣＣ１が周波数帯「８００ＭＨｚ帯」、ＣＣ５が周波数帯「３．５ＧＨｚ帯」に属するとき、ＣＣ１の同期信号の周波数とＣＣ５の同期信号の周波数とは異なるものとなる。また、ＣＣ１とＣＣ５とは同じ周波数帯「３．５ＧＨｚ帯」に属するときでも、ＣＣ１とＣＣ５の各同期信号の周波数は異なるものとなる。参照信号についても同様にＣＣ毎に周波数は異なる。ただし、同期信号及び参照信号の信号系列がＣＣ毎に異なる場合、例えば、端末２００ではどのＣＣに属する同期信号及び参照信号かを識別することが容易となる。
【００２３】
尚、同期信号及び参照信号の信号系列は、ＣＣ毎に異なる信号系列でも、ＣＣ全てにおいて同一の信号系列でもよい。同期信号及び参照信号は、系列がＣＣ毎に異なっても同一でも、例えばＣＣ毎に中心周波数が異なるため、ＣＣ毎に異なる信号となり、基地局１００と端末２００はＣＣ単位で同期処理を行うことができる。
【００２４】
次に無線フレームと同期信号及び参照信号との関係について説明する。図３は下り方向におけるサブフレームの構成例を示す図である。同図において、横軸は時間領域、縦軸は周波数領域を示す。時間領域において、最小単位はＯＦＤＭシンボルであり、１つのスロットは７個のＯＦＤＭシンボルを含み、１つのサブフレームは２個のスロットを含む。更に、１つ無線フレームは１０個のサブフレームを含む。また、周波数領域において、最小単位はサブキャリアであり、１つの物理リソースブロック（ＰＲＢ）は１２個のサブキャリアを含み、「２０ＭＨｚ」等の帯域には決められた個数の物理リソースブロックを含む。尚、１つのＯＦＤＭシンボルと１つのサブキャリアからなるユニットをリソースエレメントと呼ぶ。
【００２５】
基地局１００は、図３に示すように、斜線で示すリソースエレメントを用いて参照信号を端末２００に送信する。例えば、参照信号は予め決められたリソースエレメントにより送信されるため、端末２００はこのリソースを用いて参照信号を受信できる。
【００２６】
図４は無線フレームの構成例を示す図である。１つの無線フレームは、図４に示すように２０個のスロット、１０個のサブフレームを含み、スロット番号が「０」と「１０」のサブフレームとによりにより同期チャネル（ＳＣＨ:Synchronization
Channel）が送信される。
【００２７】
図５は、同期チャネルを含む無線スロットの構成例を示す図である。図５において、横軸が時間領域、縦軸が周波数領域を夫々示し、スロット番号が「０」の無線スロットの例を示す。図５に示すように、基地局１００は、例えば予め決められたリソースに配置されたＰ‐ＳＣＨ（Primary
SCH）とＳ‐ＳＣＨ（Secondary SCH）を用いて同期チャネルを送信することになる。
【００２８】
一方、端末２００は、同期チャネルの受信により無線フレームの先頭のスロットを識別できるため、同期信号を用いることで例えばスロット単位又はサブフレーム単位で同期することができる。更に、参照信号はＯＦＤＭシンボル単位で送信されるため（例えば図３）、端末２００は参照信号を用いることで、同期信号よりも細かいＯＦＤＭシンボル単位で同期することができる。
【００２９】
本実施例において、基地局１００と端末２００は複数の周波数帯域を集めて帯域幅を広帯域とし、同期処理を行った後で広帯域によるデータ伝送等を行う。このような広帯域伝送が行われる場面として、例えば以下の場合がある。即ち、端末２００がセルサーチにより基地局１００に接続する場合とスケジューリングにより使用帯域幅を可変にする場合とがある。
【００３０】
端末２００は、セルサーチにおいて、接続先のセルを選択することになるが、選択したセルを収容する基地局１００との間で接続初期段階から広帯域伝送を行うことになる。
【００３１】
一方、使用帯域幅を可変にする場合とは、例えば、端末２００は「２０ＭＨｚ」の使用帯域幅を用いてある基地局１００に接続し、スケジューリングにより、使用帯域幅を拡大して「１００ＭＨｚ」にするなどの場合である。
【００３２】
以下、説明の容易のため、セルサーチを行う場合と、帯域可変動作の場合とで分けて説明することにする。
【００３３】
＜セルサーチ＞
まず、セルサーチが行われるときの基地局１００と端末２００の構成例を説明する。図６は基地局１００、図７は端末２００の各構成例を示す図である。尚、端末２００は同一構成とし、図７において端末２００として示している。
【００３４】
基地局１００は、アンテナ１１０と、受信無線部１１１と、復調・復号部１１２と、ランダムアクセス制御信号抽出部１１３と、ランダムアクセス制御部１１４と、ランダムアクセス制御信号作成部１１５と、送信データ作成部１１６と、符号化・変調部１１７と、送信無線部１１８と、ＣＣ１〜ＣＣｎ（ｎは２以上の自然数）の同期信号作成部１３０と、ＣＣ１〜ＣＣｎのＲＳ（又はパイロット信号）作成部１５０とを備える。
【００３５】
アンテナ１１０は、端末２００から送信された無線信号を受信して受信無線部１１１に出力し、送信無線部１１８から出力された無線信号を端末２００に送信する。
【００３６】
受信無線部１１１は、例えば、無線信号を増幅して中間周波数帯の信号に変換し、ランダムアクセス制御部１１４からのリソース割り当て情報に基づいてデマッピングする等により、データチャネルと制御チャネル等の信号系列を抽出する。受信無線部１１は当該信号系列を復調・復調部１１２に出力する。
【００３７】
復調・復号部１１２は、受信無線部１１１から出力された信号系列に対して、ランダムアクセス制御部１１４からの指示に基づいて、所定の復調方式により復調し、所定の符号化率で復号化する。復調方式は、例えば、ＱＰＳＫ（Quadrature
Phase Shift Keying）、１６ＱＡＭ（Quadrature Amplitude Modulation）等であり、符号化率は、１／２，２／３等である。
【００３８】
ランダムアクセス制御信号抽出部１１３は、復調・復号部１１２からの出力のうち、ランダムアクセス制御信号を抽出する。ランダムアクセス制御信号は、例えば、端末２００との間でランダムアクセス手順が実行されるときに送信又は受信する制御信号である。ランダムアクセス手順は、例えば、端末２００と基地局１００とが初期接続する際に時刻同期と送信電力調整等を行うための手順である。
【００３９】
ランダムアクセス制御部１１４は、ランダムアクセス制御信号抽出部１１３から出力されたランダムアクセス制御信号に基づいてランダムアクセス手順の実行を制御する。また、ランダムアクセス制御部１１４は、基地局１００が送信するランダムアクセス制御信号の作成をランダムアクセス制御信号作成部１１５に指示する。更に、ランダムアクセス制御部１１４は、例えば、復調・復号部１１２と符号化・変調部１１７に対して変調方式、符号化率等を指示し、受信無線部１１１と送信無線部１１８にリソース割り当て情報を出力する。
【００４０】
ランダムアクセス制御信号作成部１１５は、ランダムアクセス制御部１１４からの指示に基づいてランダムアクセス制御信号を作成し、送信データ作成部１１６に出力する。
【００４１】
ＣＣ１〜ＣＣｎの同期信号作成部１３０は、ＣＣ１〜ＣＣｎ毎に異なる同期信号を作成し、各同期信号を送信データ作成部１１６に出力する。上述したように、各同期信号はＣＣ毎に作成されるが、同じ信号系列でも異なる信号系列でもよい。
【００４２】
ＣＣ１〜ＣＣｎのＲＳ作成部１５０は、ＣＣ１〜ＣＣｎ毎に異なる参照信号（又はパイロット信号或いは既知信号）を作成し、各参照信号を送信データ作成部１１６に出力する。各参照信号は、同期信号と同様にＣＣ毎に作成され、同じ信号系列でもＣＣ毎に異なる信号系列でもよい。
【００４３】
送信データ作成部１１６は、ランダムアクセス制御信号、ＣＣ１〜ＣＣｎの同期信号、ＣＣ１〜ＣＣｎの参照信号、及び送信データを出力する。
【００４４】
符号化・変調部１１７は、送信データ作成部１１６から出力された送信データ等に対して、ランダムアクセス制御部１１４からの指示に基づいて所定の符号化率で符号化し、所定の変調方式で変調する。
【００４５】
送信無線部１１８は、符号化・変調部１１７の出力に対して、例えば、ランダムアクセス制御部１１４からのリソース割り当て情報に基づいて、送信データ等を所定のリソースにマッピングし、高周波信号に変換等することで無線信号を生成し、アンテナ１１０に出力する。
【００４６】
端末２００は、図７に示すように、アンテナ２１０と、受信無線部２１１と、復調・復号部２１２と、同期制御部２１３と、無線回線品質測定部２１４と、セル選択処理部２１７と、ランダムアクセス制御部２１８と、ランダムアクセス制御信号作成部２１９と、ＣＣ１〜ＣＣｎの同期信号抽出部２３０と、ＣＣ１〜ＣＣｎのＲＳ抽出部２５０とを備える。
【００４７】
アンテナ２１０は、基地局１００から送信された無線信号を受信して受信無線部２１１に出力し、送信無線部２２１から出力された無線信号を基地局１００に送信する。
【００４８】
受信無線部２１１は、例えば、無線信号を増幅し中間周波数帯の信号に変換等し、リソース上に割り当てられた同期信号、参照信号、データ等に対して、リソース割り当て情報等に基づいてデマッピング等を行い、データチャネルや制御チャネル等の信号系列を抽出する。例えば、受信無線部２１１は、基地局１００から送信されたリソース割り当て情報を保持し、当該情報に基づいて同期信号、参照信号等を抽出する。
【００４９】
復調・復号部２１２は、受信無線部２１１から出力された信号系列に対して、所定の復調方式と符号化率で夫々復調と復調を行う。例えば、復調・復号部２１２は、基地局１００から送信された下り制御信号で指示された復調方式と符号化率とに基づいて復調と復号とを行う。
【００５０】
ＣＣ１〜ＣＣｎの同期信号抽出部２３０は、復調・復号部２１２からの出力のうち、ＣＣ１〜ＣＣｎの各同期信号を抽出し、抽出した各同期信号を同期制御部２１３に出力する。
【００５１】
同期制御部２１３は、ＣＣ１〜ＣＣｎの同期信号抽出部２３０から出力されたＣＣ毎に異なる各同期信号の中から、少なくとも１つの最適な同期信号を選択する。また、同期制御部２１３は、ＣＣ１〜ＣＣｎのＲＳ抽出部２５０から出力されたＣＣ毎に異なる各参照信号の中から、少なくとも１つの最適な参照信号を選択する。選択については後述する。同期制御部２１３は、選択した同期信号及び参照信号に基づいて、受信無線部２１１、復調・復号部２１２、無線回線品質測定部２１４、符号化・変調部２２０、及び送信無線部２２１を同期させる。
【００５２】
上述したように、同期信号はスロットタイミング、参照信号はＯＦＤＭシンボルタイミングで同期しているため、同期制御部２１３は同期信号又は参照信号を用いて受信無線部２１１等をスロットタイミング又はＯＦＤＭシンボルタイミングで同期させることができる。即ち、同期制御部２１３は、選択した同期信号又は参照信号のスロットタイミング又はフレームタイミングと同一のタイミングで受信無線部２１１等を動作させることができる。従って、同期制御部２１３は、選択した同期信号及び参照信号と同一の位相（又は閾値以下の位相差）で受信無線部２１１等を動作させることができる（位相同期）。
【００５３】
また、ＣＣ１〜ＣＣｎの同期信号について、ＣＣ１の同期信号とＣＣｎの同期信号は例えば中心周波数が異なる同期信号となっている。従って、同期制御部２１３は、選択した同期信号の中心周波数と同一の周波数で受信無線部２１１等を動作させることができる。また、参照信号についても同様で、同期制御部２１３は選択した参照信号の中心周波数と同一の周波数で受信無線部２１１等を動作させることもできる。よって、同期制御部２１３は、選択した同期信号又は参照信号と同一の周波数（又は閾値以下の周波数差）で受信無線部２１１等を動作させることができる（周波数同期）。
【００５４】
この位相同期及び周波数同期により、端末２００は基地局１００の無線信号の送信周波数（又は受信周波数）と同期することができる。
【００５５】
一方、受信無線部２１１又は送信無線部２２１は、例えば、局発振信号に基づいて無線信号を中間周波数信号に変換する。同期制御部２１３は、受信無線部２１１等に対する同期制御により、局発信信号の周波数と、選択した同期信号又は参照信号の周波数とを一致させることができる。また、同期制御部２１３は、局発振信号の位相タイミングも、選択した同期信号又は参照信号の位相タイミングと一致させることができる。これにより、例えば、受信無線部２１１は適切な周波数及びタイミングの中間周波数信号に変換できる。また、同期制御部２１３は、復調部・復号部２１２と符号化・変調部２２０についても、同期信号又は参照信号の周波数と位相タイミングが一致するように動作させるため、復調・復号部２１２等は、入力されたデータ等と同期して復調や符号化等を行うことができる。
【００５６】
ＣＣ１〜ＣＣｎのＲＳ抽出部２５０は、復調・復号部２１２の出力に対して、ＣＣ１〜ＣＣｎの各参照信号を抽出し、同期制御部２１３と無線回線品質測定部２１４に出力する。
【００５７】
無線回線品質測定部２１４は、抽出された各参照信号に対して無線回線品質を測定し、無線回線品質情報作成部２１５に出力する。例えば、無線回線品質測定部２１４はＣＣ毎に受信電界強度又は受信電力を測定する。
【００５８】
セル選択処理部２１７は、測定されたＣＣ毎の受信電力に対して、例えば最も受信電力が高く、かつ他の条件を満たすセルを収容する基地局１００を選択する。セル選択処理部２１７は、選択したセルの情報をランダムアクセス制御部２１８に出力する。
【００５９】
本実施例においてセルに関し、例えば、当該セルを収容する基地局１００の電波到達可能範囲（又は領域）をセルとしてもよいし、当該電波到達可能範囲等において送受信される１つの搬送波毎にセルが設定されてもよい。また、例えば、各セルと各ＣＣは一対一に対応し、ＣＣ１はセル１を収容する基地局１００で使用される帯域であり、ＣＣｎはセルｎを収容する基地局１００で使用される帯域である。
【００６０】
ランダムアクセス制御部２１８は、選択したセルを収容する基地局１００にランダムアクセス制御を行い、ランダムアクセス制御信号の作成をランダムアクセス制御信号作成部２１９に指示する。
【００６１】
ランダムアクセス制御信号作成部２１９は、ランダムアクセス制御部２１８からの指示に基づいてランダムアクセス制御信号を作成し、符号化・変調部２２０に出力する。
【００６２】
符号化・変調部２２０は、送信データ、無線回線品質情報、及びランダムアクセス制御信号を所定の符号化率で符号化し、所定の変調方式により変調する。符号化率と変調方式は、例えば、予め制御信号等により基地局１００から指示されているものとする。
【００６３】
送信無線部２２１は、符号化・変調部２２０からの出力に対して、例えば、所定のリソースに送信データ等を割り当て、高周波信号に変換する等により無線信号を生成し、アンテナ２１０に出力する。送信無線部２２１は、リソース割り当てについて予め基地局１００より指示され、例えば基地局１００から送信されたリソース割り当て情報を保持し、当該情報に基づいて割り当てを行う。
【００６４】
次にセルサーチにおける同期処理の動作を説明する。図８は処理の例を示すフローチャートである。
【００６５】
最初に、端末２００は、基地局１００から送信されたＣＣ１〜ＣＣｎの同期信号を受信する（Ｓ１１）。基地局１００は予め決められたリソースを利用して同期信号を送信しているため（例えば図４）、端末２００は基地局１００から受信又は予め保持したリソース情報に基づいて、ＣＣ１〜ＣＣｎの同期信号を抽出できる。
【００６６】
次いで、端末２００は、基地局１００から送信されたＣＣ１〜ＣＣｎの参照信号を受信する（Ｓ１２）。同期信号と同様に、基地局１００は予め決められたリソースを利用して参照信号を送信しているため（例えば、図２）、端末２００はリソース情報に基づいてＣＣ１〜ＣＣｎの参照信号を受信できる。
【００６７】
端末２００は、ＣＣ１〜ＣＣｎの各同期信号と、ＣＣ１〜ＣＣｎの各参照信号とを受信すると、各同期信号及び各参照信号を識別して、ＣＣ１〜ＣＣｎの各同期信号及び各参照信号について、少なくとも一つの最適な同期信号及び参照信号を選択する（Ｓ１３）。
【００６８】
各同期信号及び各参照信号の識別に関し、同期信号及び参照信号はＣＣ毎に異なる信号系列の場合、同期制御部２１３は信号系列を識別することでどのＣＣに属する同期信号及び参照信号かを識別できる。同期信号及び参照信号が同一の信号系列の場合、例えばセルＩＤにより同期信号及び参照信号を識別することができる。同期信号及び参照信号は、例えばセル毎に異なる周波数の同期信号及び参照信号のため、同期制御部２１３はセルＩＤにより識別できる。
【００６９】
選択に関して、端末２００は以下のように行う。例えば、端末２００に対して同期精度として「０．１ｐｐｍ」の周波数確度が求められているものとする。このとき、端末２００が「８００ＭＨｚ」帯に属するＣＣの同期信号及び参照信号を選択したとき、選択した同期信号等の中心周波数が「８００ＭＨｚ」とすると、端末２００は８００×１０６×１０−７＝８０Ｈｚの誤差まで許容できるものとなる。
【００７０】
一方、端末２００が「３．５ＧＨｚ帯」のＣＣの同期信号及び参照信号を選択したとき、選択した同期信号等の中心周波数が「３．５ＧＨｚ」とすると、端末２００は、３．５×１０９×１０−７＝３５０Ｈｚの誤差まで許容できるものとなる。
【００７１】
従って、端末２００は、最も低周波数の同期信号、すなわち「８００ＭＨｚ帯」に属するＣＣの同期信号を選択すれば、周波数帯「３．５ＧＨｚ帯」に属する無線信号を受信しても、「３５０Ｈｚ」の誤差精度の許容範囲内となる。
【００７２】
よって、同期制御部２１３は、周波数誤差精度の観点から、最も低い周波数（又は最も中心周波数の低い）同期信号及び参照信号を選択すれば、誤差精度はすべて許容範囲内となる。同期制御部２１３は、選択した同期信号及び参照信号に対して周波数同期及び位相同期を受信無線部２１１等に行わせることで、受信信号の周波数誤差を許容範囲内に収めるようにすることができる。よって、端末２００は、周波数誤差を許容範囲内に収めることができるため、周波数精度の劣化を防止することができる。
【００７３】
また、選択については例えば以下のようにすることもできる。すなわち、同期信号の周波数が高周波になればなるほど、位相回転は大きくなる。例えば、「３．５ＧＨｚ帯」に属するＣＣの同期信号の方が、「８００ＭＨｚ帯」に属するＣＣの同期信号よりも位相が大きい。位相の調整に関しては、最も周波数の大きい同期信号及び参照信号を用いた方が調整できる位相の範囲が大きくなり、より細かい位相の調整を行うことができる。よって、同期制御部２１３は、最も周波数の高い（又は中心周波数の最も高い）同期信号及び参照信号を選択することで、それ以外の同期信号を選択する場合よりも、位相差の調整を精度よく行うことができる。位相差調整の観点からは、同期制御部２１３は、最も周波数の高い（又は最も中心周波数の高い）同期信号又は参照信号を選択することで、より範囲の広い高精度の位相調整を行うことができ、位相精度の劣化を防止することができる。
【００７４】
選択の仕方は他にも、例えば、同期制御部２１３は、周波数精度と位相精度の両方の精度を考慮して、ＣＣ１〜ＣＣｎのうち、統合した周波数帯域の中心周波数に最も近いＣＣの同期信号及び参照信号を選択するようにしてもよい。
【００７５】
更に、選択する個数も、ＣＣ１〜ＣＣｎの中から１つの同期信号及び参照信号ではなく、ＣＣ１〜ＣＣｎの中から複数の同期信号及び参照信号が選択されてもよい。例えば、同期制御部２１３は、最も周波数の低い同期信号及び参照信号を選択して受信無線部２１１等に対して周波数同期を行わせ、一方で、最も周波数の高い同期信号及び参照信号を用いて受信無線部２１１等に対して位相同期を行わせることもできる。同期制御部２１３は、複数選択して状況に応じて各同期信号及び各参照信号を使い分けることもできる。
【００７６】
端末２００は、選択後、選択した同期信号及び参照信号に基づいて同期処理を行う。同期処理は、例えば、上述したように同期制御部２１３が受信無線部２１１等に対して、局発振信号等の周波数と位相が、選択した同期信号及び参照信号と周波数と位相に一致（又は双方とも閾値以下と）するように同期制御を行う。
【００７７】
端末２００は、選択した同期信号及び参照信号に基づいて同期制御を行った後、受信した参照信号に基づいて、ＣＣ１〜ＣＣｎの受信品質を測定する（Ｓ１４）。
【００７８】
次いで、端末２００は、測定した受信品質に基づいてセルを選択する（Ｓ１５）。例えば、セル選択処理部２１７は、受信品質が最もよいセルを選択する。
【００７９】
次いで、端末２００は、選択したセルに対してランダムアクセス制御手順を実行する（Ｓ１６〜Ｓ１９）。
【００８０】
すなわち、端末２００は、ランダムＩＤ等を含むランダムアクセスプリアンブルを基地局１００に送信する（Ｓ１６）。例えば、端末２００のランダムアクセス制御信号作成部２１９は、ランダムアクセス制御部２１８からの指示に基づいてランダムアクセスプリアンブルを作成し、符号化・変調部２２０等を介して送信する。
【００８１】
基地局１００は、ランダムアクセスプリアンブルを受信すると、例えばタイミング調節情報等を含むランダムアクセスレスポンスを端末２００に送信する（Ｓ１７）。例えば、ランダムアクセス制御信号抽出部１１３は、ランダムアクセスプリアンブルを抽出してランダムアクセス制御部１１４に出力し、ランダムアクセス制御部１１４はランダムアクセスレスポンスの生成をランダムアクセス制御信号作成部１１５に出力する。ランダムアクセス制御信号作成部１１５は、送信データ作成部１１６等を介してランダムアクセスレスポンスを端末２００に送信する。
【００８２】
端末２００はランダムアクセスレスポンスを受信すると、端末２００の識別情報等を含むスケジュールドトランスミッションを基地局１００に送信する（Ｓ１８）。例えば、ランダムアクセス制御部２１８の指示によりランダムアクセス制御信号作成部２１９が送信する。
【００８３】
基地局１００は、スケジュールドトランスミッションを受信すると、端末２００間で衝突が起こっているか否かを確認するためコンテンションレゾルーションを端末２００に送信する（Ｓ１９）。例えば、ランダムアクセス制御信号作成部１１５がランダムアクセス制御部１１４からの指示に基づいてコンテンションレゾルーションを送信する。
【００８４】
次いで、基地局１００は、広帯域幅の使用帯域を用いてデータを端末２００に送信する（Ｓ２０）。
【００８５】
例えば、基地局１００はランダムアクセス制御手順の実行（Ｓ１６〜Ｓ１９）を契機にして帯域幅を「１００ＭＨｚ」となる送信設定を行う。送信設定は、例えば、ランダムアクセス制御部１１４が、送信無線部１１８と受信無線部１１１に対して、リソース割り当てについてリソースの帯域幅を「１００ＭＨｚ」となるように制御することで行われる。又は、受信無線部２１１等は、入力信号のうち余分な周波数成分を除去するためＢＰＦを備えるが、ランダムアクセス制御部１１４は、当該ＢＰＦの帯域幅を拡大させて、通過させる受信信号の周波数帯域を拡大させるように制御することで送信設定が行われる。或いは、受信無線部２１１等は無線信号の時間領域への変換等のためＦＦＴ又はＩＦＦＴ等を備えるが、ランダムアクセス制御部１１４が拡大した帯域幅に対応するようにＦＦＴサイズを変更させることで送信設定が行われる。
【００８６】
一方、端末２００は、例えば同期処理（Ｓ１３）において、広帯域幅のデータ等を受信できるように受信設定を行う。例えば、同期制御部２１３は、基地局１００の場合と同様に、受信無線部２１１等に対して、リソースやフィルタの帯域幅を拡大させたり、ＦＦＴサイズを変更させたり等の制御をすることで受信設定を行う。これにより、端末２００は、広帯域幅で受信可能な状態で、かつ選択した同期信号及び参照信号により同期がとれた状態で、データを受信することができる。データは、例えば、端末２００が基地局１００に送信してもよい。
【００８７】
尚、上述した例で、同期制御部２１３は少なくとも一つの同期信号及び参照信号を選択するものとして説明したが、同期信号又は参照信号のいずれかを選択するようにしてもよい。例えば、ＣＣ１の同期信号とＣＣ１の参照信号の各中心周波数は同じであるため、同期制御部２１３は、いずれを選択しても受信無線部２１１等に対して周波数同期を行わせることができる。また、ＣＣ１の同期信号とＣＣ１の参照信号の位相タイミング精度は異なるものの、同期制御部２１３はＣＣ１の同期信号を選択することでスロットタイミングの位相同期を行うことができる。また同期制御部２１３は、ＣＣ１の参照信号を選択することでＯＦＤＭシンボルタイミングの位相同期を行うことはできる。
【００８８】
＜帯域可変動作＞
次に帯域可変動作について説明する。図９はかかる動作を行う場合の基地局１００、図１０は端末２００の各構成例を示す図である。
【００８９】
基地局１００は、更に、無線回線品質情報抽出部１２１と、スケジューラ１２２と、送信制御情報作成部１２３とを備える。
【００９０】
無線回線品質情報抽出部１２１は、復調・復号部１１２からの出力のうち、端末２００が送信した無線回線品質情報を抽出し、スケジューラ１２２に出力する。
【００９１】
スケジューラ１２２は、無線回線品質情報に基づいて、符号化率と変調方式を決定し、端末２００において無線信号が送信又は受信される場合の無線信号の送信周波数又は受信周波数の使用帯域幅の拡大又は縮小を決定する。また、スケジューラ１２２は、送信データ等のリソース割り当ても決定する。スケジューラ１２２は、決定した符号化率と変調方式等を符号化・変調部１１７と復調・復号部１１２に出力し、決定したリソース情報を送信無線部１１８と受信無線部１１１に出力する。また、スケジューラ１２２は、使用帯域幅の拡大又は縮小を決定したとき、当該情報を送信制御情報作成部１２３に出力する。
【００９２】
送信制御情報作成部１２３は、スケジューラ１２２からの情報に基づいて、使用帯域の拡大又は縮小を含む送信制御情報を作成し、送信データ作成部１１６に出力する。送信データ作成部１１６は送信制御情報から送信制御信号を作成し、符号化・変調部１１７等を介して端末２００に送信する。
【００９３】
一方、端末２００は、更に、送信制御情報抽出部２２５と端末設定制御部２２６とを備える。
【００９４】
送信制御情報抽出部２２５は、復調・復号部２１２からの出力のうち送信制御信号を抽出し、送信制御情報として端末設定制御部２２６に出力する。
【００９５】
端末設定制御部２２６は、送信制御情報に基づいて、受信無線部２１１と、復調・復号部２１２、符号化・変調部２２０、及び送信無線部２２１の使用帯域幅を拡大又は縮小させる。例えば、端末設定制御部２２６は、セルサーチにおける例と同様に、受信無線部２１１又は送信無線部２２１に対して、ＢＰＦの帯域幅を拡大又は縮小させて通過させる信号の周波数帯域を制御したり、リソースの帯域幅を拡大又は縮小させたり等の処理を行う。
【００９６】
次に、帯域可変動作における同期処理の動作について説明する。図１１は動作例を示すフローチャートである。尚、端末２００はＣＣ１〜ＣＣｎのうちＣＣ３に対応するセルを収容する基地局１００に接続しているものとする（Ｓ２０）。
【００９７】
次いで、端末２００は、基地局１００から送信されたＣＣ３の参照信号を受信し（Ｓ２１）、ＣＣ３の無線回線品質を測定又は算出する（Ｓ２２）。
【００９８】
次いで、端末２００は、測定した無線回線品質（又はＣＱＩ（Channel
Quality Indicator））を基地局１００に送信する（Ｓ２３）。例えば、無線回線品質情報作成部２１５は、ＣＱＩを送信する場合、各ＣＱＩを保持し、無線回線品質測定部２１４からの無線回線品質に対応するＣＱＩを選択して符号化・変調部２２０等を介して送信する。
【００９９】
基地局１００は、ＣＣ３の無線回線品質情報を受信すると、端末２００に対して他のＣＣの無線回線品質を測定するように要求する（Ｓ２４）。例えば、スケジューラ１２２は、無線回線品質情報抽出部１２１からＣＣ３の無線回線品質情報を入力すると、他のＣＣの無線回線品質測定要求を含む送信制御情報の作成を送信制御情報作成部１２３に指示する。又は、スケジューラ１２２は、端末２００からの要求に基づいて他ＣＣの測定要求の作成を指示してもよい。送信制御情報作成部１２３は当該指示に基づいて当該送信制御情報を作成し送信データ作成部１１６等を介して端末２００に送信する。
【０１００】
端末２００は、他ＣＣの無線回線品質測定要求を受信すると、ＣＣ１の同期信号を受信する（Ｓ２５）。例えば、受信無線部２１１は、ＣＣ１の同期信号に対するリソース割り当て情報を予め保持し、これに基づいて受信信号からＣＣ１の同期信号を抽出する。ＣＣ１〜ＣＣｎの同期信号抽出部２３０は、復調・復号部２１２の出力からＣＣ１の同期信号を抽出する。  
【０１０１】
次いで、端末２００はＣＣ１の参照信号を受信する（Ｓ２６）。例えば、受信無線部２１１はリソース情報等に基づいてＣＣ１の参照信号をデマッピングし、ＣＣ１〜ＣＣｎのＲＳ抽出部２５０は復調・復号部２１２の出力からＣＣ１の参照信号を抽出する。
【０１０２】
次いで、端末２００はＣＣ単位で同期処理を行う（Ｓ２７）。例えば、同期制御部２１３は、受信無線部２１１、復調・復号部２１２、無線回線品質測定部２１４、符号化・変調部２２０、及び送信無線部２２１に対して、ＣＣ１の同期信号又は参照信号と周波数同期及び位相同期させる。同期制御部２１３は、セルサーチの動作と同様に、例えば、局発信信号がＣＣ１の同期信号及び参照信号の周波数及び位相と一致（又は閾値以下と）させるように受信無線部２１１等を制御する。
【０１０３】
端末２００は、同期処理を終了すると、ＣＣ１の無線回線品質を測定又は算出する（Ｓ２８）。例えば、ＣＣ１〜ＣＣｎのＲＳ抽出部２５０は、抽出したＣＣ１の参照信号を無線回線品質測定部２１４に出力し、無線回線品質情報作成部２１５が抽出したＣＣ１の参照信号に対して、受信電界強度又は受信電力を測定する。
【０１０４】
次いで、端末２００は、ＣＣ１の無線回線品質（又はＣＱＩ）を基地局１００に送信する（Ｓ２９）。
【０１０５】
端末２００はＳ２４〜Ｓ２９までの処理により、ＣＣ１に対する無線回線品質等を基地局１００に送信することになる。端末２００は、Ｓ２４〜Ｓ２９と同様な処理を行うことで、他のＣＣに対する無線回線品質、例えばＣＣ２、ＣＣ４〜ＣＣ５に対する無線回線品質等を基地局１００に送信できる。図１１及び図１２において、端末２００はＳ２９〜Ｓ３４までの処理を行うことで、ＣＣ５までの無線回線品質を基地局１００に送信することができる。
【０１０６】
基地局１００は、ＣＣ５に対する無線回線品質等を受信すると、スケジューリングにより端末２００の使用帯域を拡大又は縮小を決定する（Ｓ３５）。例えば、スケジューラ１２２は、受信した無線回線品質のうち、閾値以上の無線回線品質を選択して、当該無線回線品質に対応するＣＣを使用帯域幅とすることで使用帯域の拡大又は縮小を決定できる。又は、スケジューラ１２２は、使用帯域の無線回線品質以上の無線回線品質に対応するＣＣを使用帯域幅にしたり、接続しているＣＣに隣接するＣＣを使用帯域幅にしたりすることで使用帯域の拡大又は縮小を決定できる。なお、１つのセルが１つのＣＣで成り立っている場合は、隣接するセルに対応するＣＣを使用帯域幅として同様の決定ができる。図１２の例では、スケジューラ１２２は、ＣＣ１〜ＣＣ５を使用帯域として帯域幅を拡大することを決定する。
【０１０７】
次いで、基地局１００は使用帯域幅の拡大又は縮小通知（以下、「使用帯域通知」）を端末２００に送信する（Ｓ３６）。例えば、送信制御情報作成部１２３は使用帯域幅の拡大又は縮小の指示を含む送信制御情報を作成し、送信制御信号として送信する。例えば、送信制御情報作成部１２３は、どのＣＣを使用帯域（図１２の例ではＣＣ１〜ＣＣ５）とするかの情報を送信制御情報に含める。
【０１０８】
尚、基地局１００は、スケジューリングで使用帯域の拡大又は縮小を決定したとき（Ｓ３５）、又は使用帯域通知を送信するとき（Ｓ３６）において、帯域を拡大又は縮小するための送信設定を行う。例えば、受信無線部１１１と送信無線部１１８等は、スケジューラ１２２からの指示に基づいて、帯域フィルタの範囲を拡大又は縮小させたり、ＦＦＴのサイズを拡大又は縮小させたりする等の送信設定を行う。これにより、基地局１００は、例えば、拡大又は縮小した帯域幅でデータ等を送信することができる。
【０１０９】
端末２００は、使用帯域通知を受信すると、使用帯域の拡大又は受信設定を行う（Ｓ３７）。例えば、端末設定制御部２２６は、基地局１００の送信設定と同様に、受信無線部２１１と送信無線部２２１等におけるＢＰＦ等の帯域フィルタの範囲を拡大又は縮小させる等の処理を行う。これにより、端末２００は、例えば、拡大又は縮小した帯域で送信されたデータ等を受信することができる。
【０１１０】
次いで、端末２００はＣＣ１〜ＣＣｎの各同期信号を受信する（Ｓ３８）。例えば、受信無線部２１１は、予め保持した（又は予め送信された）リソース割り当て情報に基づいて各同期信号を受信できる。
【０１１１】
次いで、端末２００はＣＣ１〜ＣＣｎの参照信号を受信する（Ｓ３９）。例えば、受信無線部２１１は、Ｓ３８と同様にリソース割り当て情報に基づいて各参照信号を受信できる。
【０１１２】
次いで、端末２００は、ＣＣ１〜ＣＣｎの各同期信号及びＣＣ１〜ＣＣｎの各参照信号の中から少なくとも一つの同期信号及び参照信号を選択し、選択した同期信号及び参照信号に基づいて同期処理を行う（Ｓ４０）。
【０１１３】
選択はセルサーチにおける選択（Ｓ１３)と同様に、同期制御部２１３は、位相精度の観点から周波数が最も高い同期信号及び参照信号を選択したり、周波数精度の観点から周波数が最も低い同期信号及び参照信号を選択したりすればよい。また、同期制御部２１３は、統合した周波数帯域の中心周波数に最も近いＣＣの同期信号及び参照信号を選択してもよい。或いは同期制御部２１３は、夫々複数の同期信号及び参照信号を選択することもできる。更に、選択の例として、同期制御部２１３は接続しているセルに隣接するＣＣの同期信号及び参照信号を選択するようにしてもよい。なお、１つのセルが１つのＣＣで成り立っている場合は、隣接するセルに対応するＣＣを使用帯域幅として同様の選択をしてもよい。よって、セルサーチの例と同様に、最も高い周波数の同期信号等が選択されたり、最も低い周波数の同期信号が選択等されたりするため、端末２００の位相精度又は周波数精度の劣化を防止することができる。
【０１１４】
尚、基地局１００が使用帯域幅の縮小を示す使用帯域通知を送信しても、端末２００は同様に選択を行うことができる。この場合、例えば、基地局１００は縮小された帯域幅（例えば、ＣＣ１〜ＣＣ５から縮小されてＣＣ２〜ＣＣ４を使用帯域幅とするとき、ＣＣ２〜ＣＣ４）毎に同期信号又は参照信号を送信する。また、基地局１００は使用帯域幅を示す使用帯域通知を通知する。端末２００は、例えば使用帯域通知に含まれる縮小された帯域幅（例えば、ＣＣ２〜ＣＣ４）毎の同期信号及び参照信号に基づいて、その中から最も周波数の高い同期信号及び参照信号等を選択する。また、縮小の場合、端末設定制御部２２６がＦＦＴサイズを縮小に合わせてサイズを変更する等の制御を受信無線部２１１等に対して行うことになる。
【０１１５】
選択後の同期処理は、セルサーチ動作における同期処理（Ｓ１３）と同様に、同期制御部２１３が受信無線部２１１、復調・復号部２１２、無線回線品質測定部２１４、符号化・変調部２２０、及び送信無線部２２１に対して同期処理を行う。例えば、同期制御部２１３は、受信無線部２１１等の局発振信号を、選択した同期信号又は参照信号と周波数同期及び位相同期させるようにする（周波数差と位相差がともに閾値以下など）。
【０１１６】
次いで、端末２００は拡大又は縮小した帯域で送信されたデータを受信する（Ｓ４１）。
【０１１７】
帯域可変動作においても、同期制御部２１３は同期信号又は参照信号のいずれかを選択するようにしてもよい（Ｓ４０）。同期制御部２１３は、いずれを選択しても受信無線部２１１等に対して周波数同期を行わせることができる。また、同期制御部２１３はＣＣ１の同期信号を選択することでスロットタイミングの位相同期を行うことができる。また同期制御部２１３は、ＣＣ１の参照信号を選択することでＯＦＤＭシンボルタイミングの位相同期を行うことはできる。
【０１１８】
＜他の実施例＞
上述した基地局１００の構成例と端末２００の構成例は、説明の容易のために、２つに分けて説明した。例えば、セルサーチを行うときの基地局１００（例えば図６）と帯域幅可変動作を行うときの基地局１００（例えば図９）の各構成例を合成したものを基地局１００の構成例としてもよい。図１３はかかる場合の基地局１００の構成例を示す図である。一方、図１４はかかる場合の端末２００の構成例を示す図である。端末２００も同様に図７の端末２００と図１０の端末２００との全ての構成を含む。図１３に示す基地局１００と、図１４に示す端末２００により、セルサーチの処理（Ｓ１１〜Ｓ１９，Ｓ１００）と帯域幅可変動作における処理（Ｓ２０〜Ｓ４１）のいずれも実施できる。この場合、セルサーチの処理において、基地局１００における帯域幅拡大の処理は例えばスケジューラ１２２が受信無線部１１１等を制御することで行うようにしてもよい。また、セルサーチの処理において、端末２００における帯域幅拡大の処理は、例えば端末設定制御部２２６が受信無線部２１１等を制御することで行うようにしてもよい。
【０１１９】
基地局１００におけるＣＣ１〜ＣＣｎの同期信号作成部１３０とＣＣ１〜ＣＣｎのＲＳ作成部１５０についても種々のバリエーションがある。
【０１２０】
図１５は、基地局１００における送信系（ＣＣ１〜ＣＣｎの同期信号作成部１３０と、ＣＣ１〜ＣＣｎのＲＳ作成部１５０、及び送信データ作成部１１６からアンテナ１１０）の例を示す図である。この基地局１００は、図６、図９、図１３における基地局１００の送信系を含む図である。
【０１２１】
これに対して、図１６は基地局１００の送信系における他の構成例を示す図である。基地局１００は、更に、ＣＣ１の同期信号作成部１３０‐１〜ＣＣｎの同期信号作成部１３０‐ｎと、ＣＣ１のＲＳ作成部１５０‐１〜ＣＣｎのＲＳ作成部１５０‐ｎとを備える。図１６は、ＣＣ毎に同期信号作成部とＲＳ作成部とを備える例である。
【０１２２】
各同期信号作成部１３０‐１〜１３０‐ｎはＣＣ１〜ＣＣｎの同期信号作成部１３０と同様にＣＣ毎に異なる同期信号を作成する。また、各ＲＳ作成部１５０‐１〜１５０‐ｎもＣＣ１〜ＣＣｎのＲＳ作成部１５０と同様にＣＣ毎に異なる参照信号を作成する。
【０１２３】
このような同期信号作成部１３０‐１〜１３０‐ｎとＲＳ作成部１５０‐１〜１５０‐ｎを含む基地局１００全体の構成例を図１７から図１９に示す。図１７はセルサーチを行うときの基地局１００、図１８は帯域可変動作を行うときの基地局１００、図１９はいずれも実施可能な基地局１００の各構成例である。この場合、端末２００は同期信号と参照信号についてＣＣ毎に抽出できればよいため、図７、図１０、又は図１４に示す端末２００により実施できる。
【０１２４】
図２０は、同期信号作成部１３０‐１〜１３０‐ｎがＣＣ毎に別々の構成とし、更にＲＳ作成部１５１を備える基地局１００の構成例を示す図である。この場合、ＲＳ作成部１５１は１種類の参照信号を作成するため、例えば基地局１００は全て同じ参照信号を送信する（Ｓ１２等）。一方、端末２００は参照信号については識別等を行わずに、選択した同期信号と当該参照信号により同期処理（Ｓ１３，Ｓ４０等）を行う。例えば、ＣＣ１の同期信号の中心周波数とＣＣ１の参照信号の中心周波数は同じであるため、端末２００はいずれか一方を選択すれば少なくとも周波数同期を行うことは可能である。また、選択した同期信号を用いることでスロット単位でのタイミング同期は可能である。
【０１２５】
図２１から図２３は図２０の送信系を含む基地局１００全体の構成例を示す図である。図２１はセルサーチ、図２２は帯域幅可変動作、図２３はいずれも実施可能な場合の基地局１００の各構成例を示している。一方、図２４から図２６はかかる場合の端末２００の構成例を示し、図２４はセルサーチ、図２５は帯域幅可変動作、図２６はいずれの実施可能な場合の端末２００の各構成例を示す。図２４から図２６において、端末２００は更にＲＳ抽出部２５１を備える。ＲＳ抽出部２５１は、復調・復号部２１２からの出力のうち参照信号を抽出し、同期制御部２１３、無線回線品質測定部２１４に出力する。同期制御部２１３は、ＣＣ１〜ＣＣｎの同期信号から少なくとも一つの同期信号を選択する。選択は上述した例と同様である。同期制御部２１３は、参照信号と選択した同期信号に基づいて受信無線部２１１等に対して周波数同期と位相同期を行う。
【０１２６】
図２７は、基地局１００の送信系における他の構成例を示す図である。基地局１００は、更に同期信号作成部１３１と、ＣＣ毎にＲＳ作成部１５０‐１〜１５０‐ｎを備える。基地局１００は、１種類の同期信号、及びＣＣ１〜ＣＣｎ毎の参照信号を送信する。図２８はセルサーチ、図２９は帯域可変動作、図３０はいずれの実施可能な場合の各基地局１００の構成例を示す図である。また、図３１はセルサーチ、図３２は帯域可変動作、図３３はいずれも実施可能な場合の各端末２００の構成例を示す図である。端末２００は、更に同期信号抽出部２３１を備え、復調・復号部２１２からの出力に対して同期信号を抽出し、同期制御部２１３に出力する。同期制御部２１３は、例えば、ＣＣ１〜ＣＣｎの参照信号から少なくとも一つの最適な参照信号を選択する。選択は上述した例と同様である。同期制御部２１３は、同期信号と選択した参照信号に基づいて受信無線部２１１等に対して周波数同期と位相同期を行うことができる。上述したように、例えば、ＣＣ１の参照信号とＣＣ１の同期信号は周波数が同じであるため、同期制御部２１３はいずれか一方を選択できれば受信無線部２１１等に対して周波数同期を行うことはできる。また、同期制御部２１３は、選択した参照信号を用いることによりＯＦＤＭシンボルタイミングで同期を行うことができる。
【０１２７】
図３４は、端末２００の他の構成例を示す図である。図３４に示す端末２００は、参照信号を用いずに、ＣＣ１〜ＣＣｎの同期信号から少なくとも一つ最適な同期信号を選択して、当該同期信号に基づいて同期を行うようにした例である。同期制御部２１３は、上述した例と同様に、ＣＣ１〜ＣＣｎの同期信号のうち少なとも一つの最適な同期信号を選択する。選択は上述した例と同様に行う。同期制御部２１３は、受信無線部２１１等に対して選択した同期信号の周波数に同期させ、選択した同期信号の位相タイミングに同期させるよう制御する。
【符号の説明】
【０１２８】
１０：無線通信システム                １００：基地局装置
１１１：受信無線部                    １１２：復調・復号部
１１３：ランダムアクセス制御信号抽出部
１１４：ランダムアクセス制御部        １１５：ランダムアクセス制御信号作成部
１１７：符号化・変調部                １１８：送信無線部
１３０：ＣＣ１〜ＣＣｎの同期信号作成部
１３０‐１〜１３０‐ｎ：ＣＣ１の同期信号作成部〜ＣＣｎの同期信号作成部
１３１：同期信号作成部                １５０：ＣＣ１〜ＣＣｎのＲＳ作成部
１５０‐１〜１５０‐ｎ：ＣＣ１のＲＳ作成部〜ＣＣｎのＲＳ作成部
１５１：ＲＳ作成部                    ２００：端末
２１１：受信無線部                    ２１２：復調・復号部
２１３：同期制御部                    ２１４：無線回線品質測定部
２１５：無線回線品質情報作成部        ２１７：セル選択処理部
２１８：ランダムアクセス制御部        ２１９：ランダムアクセス制御信号作成部
２２０：符号化・変調部                ２２１：送信無線部
２３０：ＣＣ１〜ＣＣｎの同期信号抽出部
２３１：同期信号抽出部                ２５０：ＣＣ１〜ＣＣｎのＲＳ抽出部
２５１：ＲＳ抽出部
【図１】
2011108028.tif 000003
【図２】
2011108028.tif 000004
【図３】
2011108028.tif 000005
【図４】
2011108028.tif 000006
【図５】
2011108028.tif 000007
【図６】
2011108028.tif 000008
【図７】
2011108028.tif 000009
【図８】
2011108028.tif 000010
【図９】
2011108028.tif 000011
【図１０】
2011108028.tif 000012
【図１１】
2011108028.tif 000013
【図１２】
2011108028.tif 000014
【図１３】
2011108028.tif 000015
【図１４】
2011108028.tif 000016
【図１５】
2011108028.tif 000017
【図１６】
2011108028.tif 000018
【図１７】
2011108028.tif 000019
【図１８】
2011108028.tif 000020
【図１９】
2011108028.tif 000021
【図２０】
2011108028.tif 000022
【図２１】
2011108028.tif 000023
【図２２】
2011108028.tif 000024
【図２３】
2011108028.tif 000025
【図２４】
2011108028.tif 000026
【図２５】
2011108028.tif 000027
【図２６】
2011108028.tif 000028
【図２７】
2011108028.tif 000029
【図２８】
2011108028.tif 000030
【図２９】
2011108028.tif 000031
【図３０】
2011108028.tif 000032
【図３１】
2011108028.tif 000033
【図３２】
2011108028.tif 000034
【図３３】
2011108028.tif 000035
【図３４】
2011108028.tif 000036
【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
複数の周波数帯域を使用した周波数帯域を送信周波数又は受信周波数に有する無線信号を基地局装置と端末装置との間で送信又は受信する無線通信システムにおいて、
前記基地局装置は、前記複数の周波数帯域における周波数帯域毎に同期信号又は参照信号を送信する送信部を備え、
前記端末装置は、前記基地局装置から送信された複数の前記同期信号又は前記参照信号から、少なくとも一つの前記同期信号又は前記参照信号を選択し、選択された前記同期信号又は前記参照信号に基づいて同期制御を行う同期制御部を備えることを特徴とする無線通信システム。    
【請求項２】
前記同期制御部は、複数の前記同期信号又は前記参照信号のうち、最も低い周波数の前記同期信号又は前記参照信号を選択することを特徴とする請求項１記載の無線通信システム。  
【請求項３】
前記同期制御部は、複数の前記同期信号又は前記参照信号のうち、最も高い周波数の前記同期信号又は前記参照信号を選択することを特徴とする請求項１記載の無線通信システム。
【請求項４】
前記同期制御部は、複数の前記同期信号又は前記参照信号のうち、統合された前記周波数帯域の中心周波数に最も近い周波数の前記同期信号又は前記参照信号を選択することを特徴とする請求項１記載の無線通信システム。
【請求項５】
前記同期制御部は、少なくとも一つの前記同期信号及び参照信号を選択し、選択された前記同期信号を用いて第１の同期を行い、更に、選択された前記参照信号を用いて第２の同期を行うことを特徴とする請求項１記載の無線通信システム。  
【請求項６】
前記端末装置は、更に、前記複数の周波数帯域を使用した周波数帯域を前記送信周波数又は前記受信周波数に有する前記無線信号を送信又は受信できるよう前記端末装置を制御する設定制御部とを備えることを特徴とする請求項１記載の無線通信システム。
【請求項７】
前記同期信号又は前記参照信号は、前記複数の周波数帯域における周波数帯域毎に夫々異なる同期信号又は参照信号であることを特徴とする請求項１記載の無線通信システム。
【請求項８】
前記送信部は、前記複数の周波数帯域を使用した周波数帯域が縮小されて縮小された周波数帯域により前記無線信号を送信又は受信するとき、前記縮小された周波数帯域に含まれる前記複数の周波数帯域における周波数帯域毎に前記同期信号又は参照信号を送信し、
前記同期制御部は、複数の前記同期信号又は前記参照信号から少なくとも一つの前記同期信号又は参照信号を選択して同期制御を行うことを特徴とする請求項１記載の無線通信システム。
【請求項９】
複数の周波数帯域を使用した周波数帯域を送信周波数又は受信周波数に有する無線信号を基地局装置との間で送信又は受信する端末装置において、
前記複数の周波数帯域における周波数帯域毎に前記基地局装置から送信された同期信号又は参照信号を受信する受信部と、
前記複数の前記同期信号又は前記参照信号から、少なくとも一つの前記同期信号又は前記参照信号を選択し、選択された前記同期信号又は前記参照信号に基づいて同期制御を行う同期制御部と
を備えることを特徴とする端末装置。
【請求項１０】
複数の周波数帯域を使用した周波数帯域を送信周波数又は受信周波数に有する無線信号を基地局装置と端末装置との間で送信又は受信する無線通信システムにおける無線通信方法であって、
前記基地局装置は、前記複数の周波数帯域における周波数帯域毎に同期信号又は参照信号を送信し、
前記端末装置は、前記基地局装置から送信された複数の前記同期信号又は前記参照信号から、少なくとも一つの前記同期信号又は前記参照信号を選択し、選択された前記同期信号又は前記参照信号に基づいて同期制御を行う
ことを特徴とする無線通信方法。
【国際調査報告】
2011108028.tif 000037
2011108028.tif 000038
2011108028.tif 000039
2011108028.tif 000040